(57)【要約】【課題】眼科装置の動作をより容易且つ十分にユーザに理解させることが可能な眼科装置模擬動作実行プログラムを提供する。【解決手段】端末は、ユーザによる操作指示を受け付けると共に、画像データに基づいてディスプレイに画像を表示させることができる。端末のプロセッサが眼科装置模擬動作実行プログラムを実行すると、端末は、操作画像表示ステップおよび動作画像表示ステップを実行する。操作画像表示ステップは、眼科装置が備える１または複数の操作部を含む操作画像を表示させるステップである（Ｓ５）。動作画像表示ステップは、操作画像に含まれる操作部のうちの少なくともいずれかが指定された場合に、指定された操作部が眼科装置において実際に操作されることを契機として眼科装置が実行する動作の画像を表示させるステップである。【選択図】図２
2015104440.tif 000002
【特許請求の範囲】
【請求項１】
ユーザによる操作指示を受け付けると共に、画像記憶手段から画像データを取得し、取得した画像データに基づいて表示手段に画像を表示させる端末で実行される眼科装置模擬動作実行プログラムであって、
前記端末のプロセッサによって実行されることで、
眼科装置が備える１または複数の操作部を含む操作画像を前記表示手段に表示させる操作画像表示ステップと、
前記操作画像に含まれる前記操作部のうちの少なくともいずれかが前記操作指示によって指定された場合に、指定された前記操作部が前記眼科装置において実際に操作されることを契機として前記眼科装置が実行する動作の画像である動作画像を前記表示手段に表示させる動作画像表示ステップと、
を前記端末に実行させることを特徴とする眼科装置模擬動作実行プログラム。
【請求項２】
前記動作画像表示ステップでは、前記眼科装置が次の操作を受付可能な状態となったことが前記動作画像によって表示されている間に、前記動作画像に含まれる前記操作部のうちの少なくともいずれかが前記操作指示によって指定された場合に、指定された前記操作部が前記眼科装置において実際に操作されることを契機として前記眼科装置が実行する動作の前記動作画像をさらに前記表示手段に表示させることが可能であることを特徴とする請求項１に記載の眼科装置模擬動作実行プログラム。
【請求項３】
前記記憶手段には、症例、診断方法、手術方法、および診断データの解析方法の少なくともいずれかが異なる複数の前記動作画像が記憶されており、
前記表示手段に表示される前記操作部は、前記症例、前記診断方法、前記手術方法、および前記診断データの解析方法の少なくともいずれかを指定する操作部を含むことを特徴とする請求項１または２に記載の眼科装置模擬動作実行プログラム。
【請求項４】
少なくとも前記動作画像の表示履歴の情報を含むログをログ記憶手段に記憶させるログ記憶ステップを、さらに前記端末に実行させることを特徴とする請求項１から３のいずれかに記載の眼科装置模擬動作実行プログラム。
【請求項５】
前記ログ記憶手段に記憶された前記ログを、ネットワークを介して管理装置に送信するログ送信ステップを、さらに前記端末に実行させることを特徴とする請求項４に記載の眼科装置模擬動作実行プログラム。
【発明の詳細な説明】
【技術分野】
【０００１】
本発明は、眼の診断、手術等の少なくともいずれかを行う眼科装置の模擬動作を端末に実行させる眼科装置動作再現プログラムに関する。
【背景技術】
【０００２】
眼科装置の動作（例えば、挙動、操作方法、使い易さ、または有用性等）をユーザに容易に理解させるための技術が望まれている。例えば、特許文献１が開示する眼科装置は、モニタの周辺に設けられた操作スイッチの機能の説明を、モニタに表示させることができる。この場合、ユーザは、モニタに表示された操作スイッチの機能の説明を把握し、実際に操作スイッチを操作することで、眼科装置の挙動、操作方法等を理解する。
【先行技術文献】
【特許文献】
【０００３】
【特許文献１】特開２００７−１０５１３０号公報
【発明の概要】
【発明が解決しようとする課題】
【０００４】
眼科装置の購入を検討しているユーザに対して、より十分に眼科装置の動作を理解させるために、メーカーは、眼科装置本体の展示会等への持ち込み、ユーザへの眼科装置本体の貸し出し（いわゆる「デモ」）等を行う場合がある。しかし、眼科装置本体の持ち込みまたは貸し出し等を行う場合、メーカーの負担（例えば、眼科装置本体の移動、眼科装置本体の動作環境の確保、設置スペースの確保、貸し出し用の眼科装置のメンテナンス等）が増大し易い。眼科装置本体の持ち込みまたは貸し出しを行わない場合、メーカーは、パンフレット等を用いて眼科装置の動作をユーザに理解させるしか無かった。また、眼科装置の動作を理解しているユーザ（例えば、医師、視機能訓練士等）が、動作を理解していないユーザに対して眼科装置の説明を行う場合等も同様である。
【０００５】
本発明は、眼科装置の動作をより容易且つ十分にユーザに理解させることが可能な眼科装置模擬動作実行プログラムを提供することを典型的な目的とする。
【課題を解決するための手段】
【０００６】
典型的な実施形態が提供する眼科装置模擬動作実行プログラムは、ユーザによる操作指示を受け付けると共に、画像記憶手段から画像データを取得し、取得した画像データに基づいて表示手段に画像を表示させる端末で実行される眼科装置模擬動作実行プログラムであって、前記端末のプロセッサによって実行されることで、眼科装置が備える１または複数の操作部を含む操作画像を前記表示手段に表示させる操作画像表示ステップと、前記操作画像に含まれる前記操作部のうちの少なくともいずれかが前記操作指示によって指定された場合に、指定された前記操作部が前記眼科装置において実際に操作されることを契機として前記眼科装置が実行する動作の画像である動作画像を前記表示手段に表示させる動作画像表示ステップと、を前記端末に実行させることを特徴とする。
【０００７】
本開示によって示される眼科装置模擬動作実行プログラムによると、眼科装置の動作をより容易且つ十分にユーザに理解させることができる。
【図面の簡単な説明】
【０００８】
【図１】端末１の電気的構成を示すブロック図である。
【図２】端末１が実行するメイン処理のフローチャートである。
【図３】ディスプレイ３１に表示されるメインメニューの一例を示す図である。
【図４】ディスプレイ３１に表示される患者選択操作画像の一例を示す図である。
【図５】メイン処理で実行される黄斑コンボ撮影動作処理のフローチャートである。
【図６】ディスプレイ３１に表示される黄斑疾患患者画像の一例を示す図である。
【図７】ディスプレイ３１に表示されるＯｐｔｉｍｉｚｅ前画像の一例を示す図である。
【図８】ディスプレイ３１に表示される確認動作画像の一例を示す図である。
【図９】メイン処理で実行される解析動作処理のフローチャートである。
【図１０】ディスプレイ３１に表示される総合解析画像の一例を示す図である。
【図１１】ディスプレイ３１に表示される３Ｄ解析の画像の一例を示す図である。
【図１２】ディスプレイ３１に表示される黄斑マルチ解析画像の一例を示す図である。
【図１３】ディスプレイ３１に表示されるレポート動作画像の一例を示す図である。
【図１４】ディスプレイ３１に表示される印刷動作画像の一例を示す図である。
【図１５】ディスプレイ３１に表示される印刷プレビュー画像の一例を示す図である。
【発明を実施するための形態】
【０００９】
以下、本発明の典型的な実施形態の１つについて、図面を参照して説明する。まず、図１を参照して、眼科装置模擬動作実行プログラムに従って動作する端末１の一例について説明する。本実施形態の端末１は、ユーザが携帯することが可能な小型の端末であり、画像表示機能、音声出力機能、操作入力機能、通信機能、充電機能等を備える。
【００１０】
端末１は、端末１の制御を司るＣＰＵ（プロセッサ）１０を備える。ＣＰＵ１０には、ＲＯＭ１１、ＲＡＭ１２、不揮発性メモリ１３、表示コントローラ２１、タッチパネルインターフェース（Ｉ／Ｆ）２２、操作スイッチＩ／Ｆ２３、電源コントローラ２４、補助記憶装置Ｉ／Ｆ２６、および通信Ｉ／Ｆ２７が、バスを介して接続されている。また、端末１は、ディスプレイ３１、タッチパネル３２、操作スイッチ３３、電源端子３４、およびバッテリー３５を備える。
【００１１】
ＲＯＭ１１は、各種プログラムおよび初期値等を記憶している。ＲＡＭ１２は、各種情報を一時的に記憶する。不揮発性メモリ１３は、電源の供給が遮断されても記憶内容を保持できる非一過性の記憶媒体（例えば、フラッシュＲＯＭ等）である。本実施形態では、眼科装置模擬動作実行プログラムは不揮発性メモリ１３に記憶されている。端末１は、補助記憶装置３６またはネットワーク３７（後述する）等を介して眼科装置模擬動作実行プログラムを取得し、不揮発性メモリ１３に記憶させることができる。また、端末１は、眼科装置模擬動作実行プログラムをアップデートすることもできる。なお、不揮発性メモリ１３には、眼科装置の模擬動作の実行中にディスプレイ３１に表示される画像（静止画および動画）のデータも記憶されている。詳細には、不揮発性メモリ１３には、症例、診断方法（本実施形態では撮影方法）、および診断データ（本実施形態では撮影データ）の解析方法の少なくともいずれかが異なる複数の動作画像が記憶されている。動作画像とは、眼科装置の操作部が操作されることを契機として眼科装置が実行する動作の画像である。
【００１２】
表示コントローラ２１は、ディスプレイ３１による画像（静止画および動画）の表示を制御する。ディスプレイ３１には、液晶表示装置等の各種表示装置を採用できる。タッチパネルＩ／Ｆ２２は、タッチパネル３２に対するユーザからの操作入力を受け付ける。タッチパネル３２は、ディスプレイ３１の表面に設けられている。操作スイッチＩ／Ｆ２３は、操作スイッチ３３に対するユーザからの操作入力を受け付ける。電源コントローラ２４は、電源端子３４から供給された電力のバッテリー３５への充電を制御し、且つ、端末１が使用する電力の供給元を、電源端子３４とバッテリー３５の間で切り換える。電源端子３４は、端末１を外部電源に接続する。補助記憶装置Ｉ／Ｆ２６には、補助記憶装置３６（例えばＵＳＢメモリ等）が着脱可能に装着される。通信Ｉ／Ｆ２７は、ネットワーク３７を介して端末１を外部機器（例えば、サーバまたは他の端末）に接続する。端末１は、通信Ｉ／Ｆ２７によって有線通信または無線通信を行うことができる。
【００１３】
なお、端末１の構成は変更できる。例えば、端末１は、タッチパネル３２の代わりに、またはタッチパネル３２と共に、ディスプレイ３１上に表示されるポインタを移動させるためのマウスを接続してもよい。端末１は、他の操作手段（例えばキーボード）を接続または装備してもよい。また、端末１は、上記の構成のうちの一部を備えていなくてもよい。例えば、ディスプレイ３１が端末１の外部に設けられており、ディスプレイ３１に接続された端末１がディスプレイ３１の表示を制御する場合でも、本実施形態で例示する眼科装置模擬動作実行プログラムを採用できる。補助記憶装置３６を接続するための構成を省略することも可能である。また、本実施形態で例示する眼科装置模擬動作実行プログラムは、ノート型のＰＣ、デスクトップ型のＰＣ、スマートフォン等によって実行されてもよい。この場合でも、メーカー等は、端末１が用いられる場合と同様に、眼科装置の動作をより容易且つ十分にユーザに理解させることができる。
【００１４】
図２から図１５を参照して、本実施形態の眼科装置模擬動作実行プログラムに従って端末１が実行するメイン処理について説明する。以下説明する処理は、単なる例示的な処理である。従って、以下説明する処理に対し、処理の追加、変更、省略等を行ってもよいことは言うまでも無い。例えば、本実施形態では、患者眼の眼底組織の断層画像を撮影することが可能な眼科装置（いわゆる断層画像撮影装置）の模擬動作を実行する場合を例示する。しかし、他の眼科装置（例えば、眼軸長測定装置、眼圧測定装置、多覚的眼屈折力測定装置、自覚的眼屈折力測定装置、白内障手術装置、硝子体手術装置、レーザ光凝固装置、レーザ角膜手術装置等）の模擬動作を実行する場合にも、本実施形態で例示する技術の少なくとも一部を適用できることは言うまでも無い。
【００１５】
前述したように、端末１の不揮発性メモリ１３には眼科装置模擬動作実行プログラムが記憶されている。ＣＰＵ１０は、眼科装置の模擬動作を開始する操作指示をタッチパネル３２等を介して受け付けると、眼科装置模擬動作実行プログラムに従って、図２に示すメイン処理を実行する。
【００１６】
まず、ディスプレイ３１にメインメニューが表示される（Ｓ１）。本実施形態のメインメニューでは、図３に示すように、シミュレーションの対象となる眼科装置の外観と共に、模擬動作の開始指示を受け付けるためのボタン（「解析シミュレーション」ボタン）が表示される。
【００１７】
次いで、ユーザによる終了指示が入力されたか否かが判断される（Ｓ２）。終了指示の入力の有無は、例えば、ディスプレイ３１上に表示された終了ボタンの操作の有無によって判断されてもよいし、操作スイッチ３３の操作の有無によって判断されてもよい。終了指示が入力されていない場合（Ｓ２：ＮＯ）、模擬動作の開始指示が入力されたか否かが判断される（Ｓ３）。本実施形態では、メインメニュー（図３参照）上の「解析シミュレーション」ボタンがタッチパネル３２によって操作されたか否かが判断されることで、模擬動作の開始指示が入力されたか否かが判断される。開始指示が入力されていなければ（Ｓ３：ＮＯ）、処理はＳ１に戻り、Ｓ２およびＳ３の判断が繰り返される。
【００１８】
終了指示が入力されると（Ｓ２：ＹＥＳ）、ログ送信処理が行われて（Ｓ４）、メイン処理は終了する。ログ送信処理とは、少なくとも動作画像の表示履歴の情報を含むログを、ネットワーク３７を介して、端末１による模擬動作を管理する管理装置（例えばサーバ）に送信する処理である。本実施形態の端末１は、眼科装置模擬動作実行プログラムの更新が行われるタイミングでネットワーク３７に接続される。一例として、本実施形態では、プログラム更新のために端末１がネットワーク３７に接続された際に、その時点で記憶されていたログが管理装置に送信される。従って、端末１は、ログを送信するために常にネットワーク３７に接続されている必要は無いので、オフラインでも模擬動作を実行できる。ただし、ログの送信方法は適宜変更できる。例えば、端末１は、眼科装置の各種模擬動作を実行する毎にログを送信してもよい。端末１は、プログラム更新時に限らず、ネットワーク３７に接続される毎にログを送信してもよい。なお、ログを記憶する処理については後述する。
【００１９】
模擬動作の開始指示が入力されると（Ｓ３：ＹＥＳ）、ＣＰＵ１０は、眼科装置のシミュレーションを端末１に実行させる。まず、不揮発性メモリ１３に記憶されている画像データに基づいて、患者選択操作画像がディスプレイ３１に表示される（Ｓ５）。図４に示すように、患者選択操作画像は、過去の診断データが記憶されている患者をユーザが眼科装置において選択する際に、眼科装置のディスプレイに表示される画像である。図４に例示した患者選択操作画像では、ユーザが操作可能な操作部として、黄斑疾患コンボ撮影適用患者欄４１と、緑内障コンボ撮影適用患者欄４２とが含まれている。黄斑疾患コンボ撮影適用患者欄４１は、黄斑疾患コンボと言われる撮影方法で撮影を行う患者を選択する際に操作される。緑内障コンボ撮影適用患者欄４２は、緑内障コンボと言われる撮影方法で撮影を行う患者を選択する際に操作される。眼科装置を操作するユーザは、２つの操作部４１，４２のいずれかをマウス等によって選択する。これに対応するように、端末１を操作するユーザは、画像に含まれる２つの操作部４１，４２のいずれかを、タッチパネル３２によって選択する。
【００２０】
なお、本実施形態でシミュレートする眼科装置では、過去の診断データ（撮影データおよび解析データ等）が記憶されていない新規な患者の診断を行う場合、患者の登録操作を受け付けた後に撮影（診断）処理を行う。しかし、本実施形態では、この処理のシミュレーションは省略されている。このように、眼科装置における一部の動作のシミュレーションを省略してもよい。また、眼科装置が患者以外の要素（例えば、診断方法、手術方法等）の選択指示を受け付ける場合、ＣＰＵ１０は、眼科装置に対応するように、患者以外の要素の選択指示を受け付けるための操作部を含む画像を表示させればよい。
【００２１】
次いで、黄斑疾患コンボ撮影適用患者欄４１が選択されたか否かが判断される（Ｓ６）。選択されていなければ（Ｓ６：ＮＯ）、緑内障コンボ撮影適用患者欄４２が選択されたか否かが判断される（Ｓ７）。選択されていなければ（Ｓ７：ＮＯ）、終了指示が入力されたか否かが判断される（Ｓ８）。終了指示が入力されると（Ｓ８：ＹＥＳ）、処理はＳ１へ戻り、メインメニューが再び表示される。終了指示が入力されていなければ（Ｓ８：ＮＯ）、処理はＳ６の判断へ戻り、Ｓ６〜Ｓ８の判断が繰り返される。
【００２２】
黄斑疾患コンボ撮影適用患者欄４１が選択されると（Ｓ６：ＹＥＳ）、黄斑コンボ撮影動作処理が実行される（Ｓ１０）。黄斑コンボ撮影動作処理とは、眼科装置が黄斑コンボの撮影方法によって患者眼を撮影する際の模擬動作を端末１に実行させる処理である。なお、本実施形態における黄斑コンボは、黄斑近傍でラスタースキャンを行う撮影方法（いわゆる「黄斑マルチ」）と、黄斑近傍の三次元画像を生成するための撮影方法（いわゆる「黄斑マップ」）を組み合わせた撮影方法である。
【００２３】
図５に示すように、黄斑コンボ撮影動作処理が実行されると、黄斑コンボ撮影の模擬動作が実行されることを履歴として記録するためのログが、不揮発性メモリ１３に記憶される（Ｓ２０）。本実施形態では、選択された動作内容（つまり、選択された動作画像の表示履歴）を示す情報と、その時点の日時と、ユーザを特定するための情報とがログとして記録される。しかし、ログとして記録する情報が適宜選択できることは言うまでも無い。また、後述の処理においても、動作画像が選択される毎にログが記録されるが、以下では説明を省略する。なお、ログを記憶する記憶手段は、画像データを記憶する記憶手段（本実施形態では不揮発性メモリ１３）と同一でもよいし、異なっていてもよい。
【００２４】
次いで、黄斑疾患患者画像がディスプレイ３１に表示される（Ｓ２１）。黄斑疾患患者画像では、選択された黄斑疾患コンボ撮影適用患者の過去の診断データを示すサムネイル画像が表示されている。また、画像の上部には、撮影を開始させるためのＯＣＴ撮影ボタン４３が表示されている。
【００２５】
次いで、ＯＣＴ撮影ボタン４３が操作されたか否かが判断される（Ｓ２２）。操作されていなければ（Ｓ２２：ＮＯ）、Ｓ２２の判断が繰り返される。タッチパネル３２を介してＯＣＴ撮影ボタン４３が操作されると（Ｓ２２：ＹＥＳ）、黄斑マルチの撮影の動作画像を表示させる状態であることを示すために、黄斑マルチフラグがＯＮとされる（Ｓ２４）。次いで、アライメント動作画像が表示される（Ｓ２５）。アライメント動作画像とは、患者眼に対する眼科装置のアライメントが行われている際に眼科装置のディスプレイに実際に表示される画像である。
【００２６】
アライメント動作画像の再生が終了すると、Ｏｐｔｉｍｉｚｅ前画像がディスプレイ３１に表示される（Ｓ２６）。Ｏｐｔｉｍｉｚｅ前画像とは、アライメントが行われた状態であり、且つＯｐｔｉｍｉｚｅを眼科装置に実行させることが可能な状態において、眼科装置のディスプレイに実際に表示される画像である。Ｏｐｔｉｍｉｚｅとは、眼科装置が有する機能の１つであり、光路長およびフォーカスの最適化を行う機能である。図７に示すように、Ｏｐｔｉｍｉｚｅ前画像には、Ｏｐｔｉｍｉｚｅ操作部４４と、Ｒｅｌｅａｓｅ操作部４５とが含まれる。なお、図７に示す例では、Ｏｐｔｉｍｉｚｅのシミュレーションが可能な状態であることを示す「Ｏｐｔｉｍｉｚｅ  ＳＴＡＲＴ」の表示が行われているが、この表示は省略してもよい。
【００２７】
次いで、Ｏｐｔｉｍｉｚｅボタン４４が操作されたか否かが判断される（Ｓ２７）。操作されていなければ（Ｓ２７：ＮＯ）、Ｓ２７の判断が繰り返される。Ｏｐｔｉｍｉｚｅボタン４４が操作されると（Ｓ２７：ＹＥＳ）、Ｏｐｔｉｍｉｚｅ動作画像がディスプレイ３１に表示される（Ｓ２９）。Ｏｐｔｉｍｉｚｅ動作画像とは、眼科装置においてＯｐｔｉｍｉｚｅボタン４４が実際に操作された際に実行されるＯｐｔｉｍｉｚｅの動作中に、眼科装置のディスプレイに表示される画像である。
【００２８】
Ｓ２５〜２９では、アライメント動作画像上で眼科装置が次の操作を受付可能な状態となったことが表示されている間（つまり、Ｏｐｔｉｍｉｚｅ前画像が表示されている間）に、動作画像に含まれる操作部（つまり、Ｏｐｔｉｍｉｚｅボタン４４）が操作指示によって指定される。その結果、指定された操作部が眼科装置において実際に操作されることを契機として眼科装置が実行する動作の画像（この場合はＯｐｔｉｍｉｚｅ動作画像）が、さらにディスプレイ３１に表示される。本実施形態では、他のステップでもＳ２５〜Ｓ２９と同様の処理が行われる。
【００２９】
Ｏｐｔｉｍｉｚｅ動作画像の再生が終了すると、Ｒｅｌｅａｓｅ前画像がディスプレイ３１に表示される（Ｓ３０）。Ｒｅｌｅａｓｅ前画像とは、Ｒｅｌｅａｓｅ（撮影開始）が可能な状態において眼科装置のディスプレイに表示される画像である。本実施形態では、Ｒｅｌｅａｓｅ前画像はＯｐｔｉｍｉｚｅ前画像とほぼ同一である。
【００３０】
次いで、Ｒｅｌｅａｓｅボタン４５が操作されたか否かが判断される（Ｓ３１）。操作されていなければ（Ｓ３１：ＮＯ）、Ｓ３１の判断が繰り返される。Ｒｅｌｅａｓｅボタン４５が操作されると（Ｓ３１：ＹＥＳ）、撮影中動作画像がディスプレイ３１に表示される（Ｓ３３）。撮影中動作画像とは、眼科装置が患者眼の撮影を行っている際に眼科装置のディスプレイに表示される画像である。なお、黄斑マルチフラグがＯＮとなっている場合、Ｓ３３では、眼科装置が黄斑マルチの撮影を行っている場合の撮影中動作画像が表示される。一方で、後述する黄斑マップフラグがＯＮとなっている場合、Ｓ３３では、眼科装置が黄斑マップの撮影を行っている場合の撮影中動作画像が表示される。
【００３１】
撮影中動作画像の再生が終了すると、確認動作画像が表示される（Ｓ３４）。図８に示すように、確認動作画像とは、撮影された画像をユーザに確認させるために、眼科装置のディスプレイに表示される画像である。眼科装置を実際に操作するユーザは、確認した画像が良好であれば「ＯＫ」を操作し、不良であれば「ＮＧ」または「再撮影」を操作する。次いで、「ＯＫ」が操作されたか否かが判断される（Ｓ３５）。操作されていなければ（Ｓ３５：ＮＯ）、Ｓ３５の判断が繰り返される。「ＯＫ」が操作されると（Ｓ３５：ＹＥＳ）、黄斑コンボ撮影に含まれる黄斑マップ撮影の動作画像の表示が既に終了しているか否かが判断される（Ｓ３６）。終了していなければ（Ｓ３６：ＮＯ）、黄斑マップの撮影の動作画像を表示させる状態であることを示すために、黄斑マップフラグがＯＮとされる（Ｓ３７）。処理はＳ３０へ戻り、黄斑マップの撮影を行っている場合の撮影中動作画像が表示される（Ｓ３３）。黄斑マップ撮影の動作画像の表示が既に終了していれば（Ｓ３６：ＹＥＳ）、処理はメイン処理へ戻る。なお、黄斑コンボ撮影動作処理では、片眼に対する撮影動作の画像が表示されてもよいし、両眼に対する撮影動作の画像が表示されてもよい。
【００３２】
図２の説明に戻る。緑内障コンボ撮影適用患者欄４２がユーザによって選択されると（Ｓ７：ＹＥＳ）、緑内障コンボ撮影動作処理が行われる（Ｓ１１）。緑内障コンボ撮影動作処理とは、撮影装置が緑内障コンボの撮影方法によって患者眼を撮影する際の模擬動作を端末１に実行させる処理である。本実施形態における緑内障コンボは、黄斑近傍の三次元画像を生成するための撮影方法（前述した黄斑マップ）と、視神経乳頭近傍の三次元画像を生成するための撮影方法（いわゆる「乳頭マップ」）を組み合わせた撮影方法である。緑内障コンボ撮影動作処理の大まかな流れは、前述した黄斑コンボ撮影動作処理の流れと近似する。従って、説明を簡略化するために、緑内障コンボ撮影動作処理の詳細な説明は省略する。
【００３３】
黄斑コンボ撮影動作処理（Ｓ１０）または緑内障コンボ撮影動作処理（Ｓ１１）が終了すると、解析データ選択画像がディスプレイ３１に表示される（Ｓ１３）。解析データ選択画像とは、１または複数の撮影データの中から、解析対象とする撮影データをユーザに選択させる際に、眼科装置のディスプレイに表示される画像である。例えば、緑内障コンボ撮影が行われた場合には、黄斑マップによる撮影データと、乳頭マップによる撮影データのいずれかを選択させる解析データ選択画像が表示される。いずれかの撮影データがタッチパネル３２を介して選択されると（Ｓ１４：ＹＥＳ）、解析動作処理が行われて（Ｓ１５）、処理はＳ１へ戻る。解析動作処理では、撮影データに対する解析の結果を眼科装置がユーザに提示する際の動作が再現される。
【００３４】
図９を参照して、解析動作処理について説明する。まず、総合解析画像がディスプレイ３１に表示される（Ｓ４１）。図１０に示すように、総合解析画像は、黄斑マップによる撮影データから作成される複数の解析画像の１つである。本実施形態でシミュレーションする眼科装置は、解析を行った後に最初に総合解析画像を表示させる。
【００３５】
総合解析画像には、解析画像切換ボタン５１、解析対象切換ボタン５２、エクスポートボタン５３、レポートボタン５４、印刷ボタン５５、印刷プレビューボタン５６、および終了ボタン５７が含まれる。解析画像切換ボタン５１は、同一の撮影方法によって得られた撮影データから作成される複数の解析画像のうち、ディスプレイに表示させる解析画像を切り換えるために操作される。解析対象切換ボタン５２は、解析対象の撮影データ（例えば、黄斑マルチと黄斑マップ）を切り換えるために操作される。エクスポートボタン５３は、眼科装置から他のデバイス（例えば、眼科装置に接続されたＰＣ）に解析結果を出力させるために、ユーザによって操作される。レポートボタン５４は、レポート形式の表示を眼科装置に実行させるために操作される。印刷ボタン５５は、解析結果の印刷指示を入力するために操作される。印刷プレビューボタン５６は、印刷プレビュー画像を表示させるために操作される。終了ボタン５７は、解析結果の表示を終了させるために操作される。
【００３６】
次いで、解析画像を切り換える指示がタッチパネル３２を介して入力されたか否かが判断される（Ｓ４２）。本実施形態では、解析画像切換ボタン５１または解析対象切換ボタン５２が操作されたか否かによって、解析画像の切替指示が入力されたか否かが判断される。入力されていなければ（Ｓ４２：ＮＯ）、処理はそのままＳ４４の判断に移行する。解析画像の切替指示が入力されると（Ｓ４２：ＹＥＳ）、ディスプレイ３１に表示されていた解析画像が、切替指示によって指定された解析画像に切り換えられて（Ｓ４３）、処理はＳ４４の判断に移行する。例えば、図１０に示す状態で、解析画像切換ボタン５１に含まれる３Ｄの解析画像への切換ボタンが操作されると、図１１に示すように、黄斑マップの撮影データに対する３Ｄ解析の画像が表示される。また、図１０に示す状態で、解析対象切換ボタン５２が操作されると、図１２に示すように、黄斑マップの撮影データに対する解析画像が、黄斑マルチの撮影データに対する解析画像に切り換えられる。
【００３７】
次いで、エクスポートボタン５３が操作されたか否かが判断される（Ｓ４４）。操作されていなければ（Ｓ４４：ＮＯ）、処理はそのままＳ４６の判断へ移行する。エクスポートボタン５３が操作されると（Ｓ４４：ＹＥＳ）、エクスポート動作画像がディスプレイ３１に表示されて（Ｓ４５）、処理はＳ４６の判断に移行する。本実施形態のＳ４５では、出力するデータ形式をユーザに選択させるための画像が表示され、データ形式の選択指示が入力されると、「エクスポートは正常に終了しました」というメッセージが表示される。以上のエクスポート動作の流れは、眼科装置において実際に行われる動作の流れと同様である。
【００３８】
次いで、レポートボタン５４が操作されたか否かが判断される（Ｓ４６）。操作されていなければ（Ｓ４６：ＮＯ）、処理はそのままＳ４８の判断へ移行する。レポートボタン５４が操作されると（Ｓ４６：ＹＥＳ）、レポート動作画像がディスプレイ３１に表示されて（Ｓ４７）、処理はＳ４８の判断へ移行する。本実施形態のＳ４７では、レポートの形式をユーザに選択させるための画像が表示され、形式の選択指示がタッチパネル３２を介して入力されると、選択された形式のレポート画像（図１３参照）が表示される。
【００３９】
次いで、印刷ボタン５５が操作されたか否かが判断される（Ｓ４８）。操作されていなければ（Ｓ４８：ＮＯ）、処理はそのままＳ５０の判断へ移行する。印刷ボタン５５が操作されると（Ｓ４８：ＹＥＳ）、図１４に示すように、眼科装置が印刷装置に印刷データを送信している際に表示される印刷動作画像がディスプレイ３１に表示されて（Ｓ４９）、処理はＳ５０の判断へ移行する。
【００４０】
次いで、印刷プレビューボタン５６が操作されたか否かが判断される（Ｓ５０）。操作されていなければ（Ｓ５０：ＮＯ）、処理はそのままＳ５２の判断へ移行する。印刷プレビューボタン５６が操作されると（Ｓ５０：ＹＥＳ）、図１５に示すように、眼科装置が実際に表示させる印刷プレビュー画像がディスプレイ３１に表示されて（Ｓ５１）、処理はＳ５２の判断へ移行する。
【００４１】
次いで、終了ボタン５７が操作されたか否かが判断される（Ｓ５２）。操作されていなければ（Ｓ５２：ＮＯ）、処理はＳ４２の判断へ戻り、Ｓ４２〜Ｓ５２の判断が繰り返される。終了ボタン５７が操作されると（Ｓ５２：ＹＥＳ）、処理はメイン処理（図２参照）へ戻る。
【００４２】
以上説明したように、本実施形態の眼科装置模擬動作実行プログラムによると、端末１は、ユーザによる操作指示によって操作部が指定された場合に、眼科装置が実際に実行する動作の画像をディスプレイ３１に表示させる。つまり、実際に眼科装置を操作する場合と同様の操作をユーザが行うことで、ユーザが再現させたい眼科装置の動作の画像が、ユーザが再現させたいタイミングで表示される。眼科装置の動作を説明するメーカー等は、眼科装置本体を持ち込む必要は無い。従って、端末１は、眼科装置の動作をより容易且つ十分にユーザに理解させることができる。
【００４３】
本実施形態では、動作画像上で眼科装置が次の操作を受付可能な状態となると、ユーザは、動作画像に含まれる操作部を指定することができる。操作部が指定されると、端末１は、眼科装置が実際に実行する動作の画像をさらに表示させる。つまり、本実施形態では、端末１は、単に１つの動作画像を表示させるのではなく、実際の眼科装置と同様の態様でユーザからの複数回の操作指示を受け付けると共に、指定された眼科装置の動作を再現する。従って、ユーザは、眼科装置の挙動、操作方法、使い易さ、または有用性等をより正確に把握することができる。
【００４４】
本実施形態では、ユーザは、症例、診断方法（本実施形態では撮影方法）、および診断データ（本実施形態では撮影データ）の解析方法の少なくともいずれかを指定し、指定した眼科装置の動作を端末１に再現させることができる。従って、ユーザは、眼科装置の動作をより正確に把握することができる。
【００４５】
本実施形態では、端末１は、動作画像の表示履歴の情報を含むログを記憶手段に記憶させる。従って、メーカー等は、ユーザが端末１に再現させた眼科装置の動作の頻度等を、眼科装置の動作毎に正確に把握することができる。また、本実施形態では、端末１は、動作画像の表示履歴の情報を含むログを、ネットワーク３７を介して管理装置に送信する。従って、管理装置は、１または複数の端末１で再現された眼科装置の動作の頻度等を、より容易に把握することができる。
【００４６】
上記実施形態で開示された内容は一例に過ぎない。従って、上記実施形態で開示された内容を変更することも可能である。まず、上記実施形態では、患者眼の眼底組織の断層画像を撮影することが可能な断層画像撮影装置の模擬動作を実行する場合を例示した。しかし、他の眼科装置の模擬動作を実行する場合にも、上記実施形態で例示した技術の少なくとも一部を適用できる。他の眼科装置の模擬動作を実行する場合には、模擬動作の対象とする眼科装置の態様に合わせて、画像のデータを用意しておけばよい。例えば、眼科手術装置の模擬動作を端末１に実行させる場合には、手術方法が異なる複数の動作画像を記憶装置に記憶させておき、ユーザによる操作指示に応じて動作画像を表示させることも可能である。この場合、端末１は、手術方法をユーザに指定させるための操作部をディスプレイ３１に表示させて、ユーザからの指示を受け付ければよい。
【００４７】
上記実施形態では、眼科装置がディスプレイに表示させる画像上の操作ボタンを、端末１も同様にディスプレイ３１に表示させる。しかし、端末１は、ジョイスティック等の他の操作部をディスプレイ３１に表示させてもよい。また、端末１は、眼科装置における何らかのパラメータを増減させる操作部（例えば、パワー、光量等を増減させる操作部）を表示させてもよい。この場合、端末１は、増減されたパラメータに応じて眼科装置が実行する動作の画像をディスプレイ３１に表示させてもよい。また、上記実施形態では、端末１がユーザの操作に応じて眼科装置の操作画像および動作画像を表示させる場合を例示した。しかし、端末１は、操作画像または動作画像の表示に併せて音声を出力してもよい。
【００４８】
上記実施形態における動作画像は、ユーザによって指定された動作を眼科装置が実行している場合に眼科装置のディスプレイに表示される画像である。しかし、動作画像は、眼科装置のディスプレイに表示される画像に限定されない。例えば、レーザ光凝固装置のシミュレーションを実行する場合には、患部にレーザが照射されている画像が動作画像として用いられてもよい。白内障手術装置のシミュレーションを実行する場合には、水晶体核を超音波チップ等で破砕している状態の画像が動作画像として用いられてもよい。
【符号の説明】
【００４９】
１    端末
１０    ＣＰＵ
１３    不揮発性メモリ
３１    ディスプレイ
３２    タッチパネル
３３    操作スイッチ
３７    ネットワーク
【図１】
2015104440.tif 000003
【図２】
2015104440.tif 000004
【図３】
2015104440.tif 000005
【図４】
2015104440.tif 000006
【図５】
2015104440.tif 000007
【図６】
2015104440.tif 000008
【図７】
2015104440.tif 000009
【図８】
2015104440.tif 000010
【図９】
2015104440.tif 000011
【図１０】
2015104440.tif 000012
【図１１】
2015104440.tif 000013
【図１２】
2015104440.tif 000014
【図１３】
2015104440.tif 000015
【図１４】
2015104440.tif 000016
【図１５】
2015104440.tif 000017